(57)【特許請求の範囲】
【請求項１】
時計ケースの胴に形成された孔に挿入固定され、ケース外に突出部を有する案内筒と、該案内筒内に摺動可能に挿入されたスイッチ操作突起を有する押ボタンと、該押ボタンの外周に螺着されたロック筒と、押ボタンを外方に付勢するスプリングとを有する装置において、案内筒のケース外方突出頭部外周が異形をなし、この部分に押ボタン頭部の内周が摺動可能に係合し、また、案内筒の案内孔は断面が円形で、スイッチ操作突起に少なくとも１箇所の環状溝を設け、該環状溝にＯリングを少なくとも１個配設した押ボタンが案内孔内を摺動可能に係合し、押ボタンの頭部内に軸方向に延びる円筒状の溝が形成され、その溝の底と案内筒の頭部外端面との間にスプリングが設けられたことを特徴とする腕時計における押ボタン誤動作防止装置。
【請求項２】
押ボタン頭部の外周に表示溝を設け、ロック筒のロック状態でその表示溝が露出するようにしたことを特徴とする請求項１記載の腕時計における押ボタン誤動作防止装置。
【請求項３】
前記表示溝に着色したことを特徴とする請求項２記載の腕時計における押ボタン誤動作防止装置。
【発明の詳細な説明】
【０００１】
【産業上の利用分野】
本発明は腕時計における押ボタンの誤動作を防止するための誤動作防止装置に関するものである。
【０００２】
【従来の技術】
ダイバ−ウォッチ等の腕時計には、時計の各種の機能を作動させる為の押ボタンが設けられている。この押ボタンは手首の屈曲または異物との接触等により押されて誤動作してしまうことがある。特にダイバ−ウォッチにおいて、押ボタンの誤動作は危険を招くことも有り得る。
【０００３】
その為、押ボタンの誤動作を防止する装置が各種提案されている。例えば、特開平３−２１８９２に開示された装置がその一例である。
【０００４】
【発明が解決しようとする課題】
この従来技術では、押ボタンヘッドと押ボタンヘッドを突出させるスプリングとが直列に配置されているため、軸方向の長さが長くなり、押ボタンが時計ケ−スより大きく突出るすことになる。更に、押ボタンのストッパが案内筒の内部に設けられており、この配置によっても案内筒が長くなり、突出量が増すことになる。その上、ロック筒はロック状態で案内筒の外端面に当たるようになっており、その為、案内筒は時計ケ−スより突出していなければならない。これによっても案内筒の突出量が増す。そのため、押ボタンが手首に当たって傷みを与えたり、外部異物と接触して損傷し易い等の欠点がある。
【０００５】
本発明は、上記の従来技術における欠点に鑑み、押ボタンの突出高さを低くすることが出来、更に、ロック状態かどうかの判別も容易にできる誤動作防止装置を提供せんとするものである。
【０００６】
【課題を解決するための手段】
本発明による腕時計における押ボタン誤動作防止装置は、時計ケースの胴に形成された孔に挿入固定され、ケース外に突出部を有する案内筒と、案内筒内に摺動可能に挿入されたスイッチ操作突起を有する押ボタンと、該押ボタンの外周に螺着されたロック筒と、押ボタンを外方に付勢するスプリングとを有し、案内筒のケース外方突出頭部外周が異形をなし、この部分に押ボタンの頭部内周が摺動可能に係合し、また、案内筒の案内孔は断面が円形で、スイッチ操作突起に少なくとも１箇所の環状溝を設け、該環状溝にＯリングを少なくとも１個配設した押ボタンが案内孔内を摺動可能に係合し、押ボタンの頭部内に軸方向に延びる円筒状の溝が形成され、その溝の底と案内筒の頭部外端面との間にスプリングが設けられたことを特徴とするものである。
【０００７】
【作用】
ロック筒をケ−スの胴に当たるまでねじ込むと、押ボタンはロックされ押すことができなくなる。
【０００８】
【実施例】
以下、図面により本発明の実施例を詳述する。図１は本発明による押ボタン誤動作防止装置全体を示す切断側面図、図２は押ボタンの断面図、図３は押ボタンを内方から見た図、図４はロック筒の断面図、図５はロック筒の正面図、図６は案内筒の断面図、図７は案内筒の正面図である。
【０００９】
図１に示すように時計ケ−スの胴１に半径方向の孔２が形成され、そこに案内筒３の筒部３ａが挿入され、ロ−付け等により胴１に固定されている。案内筒３は図６及び図７に示すように断面円形の案内孔３ｂ、ケ−ス外方突出頭部外周が六角形の頭部３ｃ及びテ−パ入口３ｄを有する。
【００１０】
押ボタン４は図２及び図３に示すように、頭部４ａ、軸方向に頭部内に延びる円筒状溝４ｂ、頭部の外周に形成された環状表示溝４ｃ、及び後方に突出するスイッチ操作突起４ｄを有する。表示溝４ｃは赤色、黄色等に着色され、後述のようにロック状態の表示を行うことができるようになっている。
【００１１】
頭部４ａの外周には雄ネジ５が切られ、内周には図３に示すように案内筒３の頭部３ｃの六角形と対応し、それに係合する６箇所に溝６が形成されている。また突起４ｄには、２個の環状溝７が設けられ、之にＯリング１３が夫々係合している。
【００１２】
また図４、図５に示すようにロック筒８は筒状をなし、内周に頭部４ａの雄ネジ５に係合する雌ネジ９が設けられ、先端部の外周に滑り止めの多数のノッチ８ａが形成されている。
【００１３】
次に、本発明装置の組立について説明する。先ずロック筒８を頭部４ａの雄ネジ５に、ロック筒の内端面が図１に示すように頭部４ａの内端面と一致する所までねじ込む。次に、スプリング１０を押ボタン４の溝４ｂ内に挿入してから、スイッチ操作突起４ｄを案内筒３の案内孔３ｂ内に挿入する。頭部４ａの内周の溝６を案内筒３の六角形頭部３ｃに係合させ、スプリング１０の押圧力に抗して押し込み、突起４ｄに形成された環状溝１１にスナップリング１２を係合して押ボタン４の抜け止めを行い、組立が完了する。
【００１４】
この状態では押ボタン４はスプリング１０によって突出位置に保持され、頭部４ａの内端面と胴１との間に押し込みストロ−クＳが形成されるようになっている。また、ロック筒８を回転させ押ボタン４をロック状態とする時、押ボタン４は案内筒３の六角形頭部３ｃに係合しているので回転せず、ロック筒８の移動を可能にしている。
【００１５】
図１は操作可能状態で、頭部４ａをストロ−クＳだけ押すことができる。その押し込みにより突起４ｄがケ−ス内に突出し、図示しないスイッチを作動させることができる。
【００１６】
次にロック筒８を図１の鎖線で示すように、その内端面が胴１の外壁に当たるまでねじ込む。これがロック状態で、押ボタン４を押し込むことはできない。そしてこの状態では、ロック筒８の前端面が図示のように表示溝４ｃより内方に移動し、着色部が現れて、ロック状態であることが表示され、誤動作しないことを確認できるようになっている。
【００１７】
【発明の効果】
以上のごとく本発明によれば、案内筒のケース外方突出頭部外周が異形をなし、この部分に押ボタン頭部の内周が摺動可能に係合し、また、案内筒の案内孔は断面が円形で、スイッチ操作突起に少なくとも１箇所の環状溝を設け、該環状溝にＯリングを少なくとも１個配設した押ボタンが案内孔内を摺動可能に係合し、押ボタンの頭部内に軸方向に延びる円筒状の溝が形成され、その溝の底と案内筒の頭部外端面との間にスプリングが設けられ、スイッチ操作突起のケース内方突出部にスナップリングが固定され、案内筒の内端に当接して抜け止めとし、ロック筒の内端がケースの胴の外壁に当接して押ボタンをロックするようにしたので、押ボタンの時計ケース外方への突出量を少なくし、損傷等の発生を防ぐことができる。また、簡単構造でありながら、押ボタンの誤動作の防止を確実に行うことができる。更に、環状表示溝の着色部により、ロック状態であるかどうかの確認が出来、ロック状態としておく必要のある場合のロック操作忘れ等を防止することもできる。
【図面の簡単な説明】
【図１】本発明による押ボタン誤動作防止装置全体を示す切断側面図である。
【図２】押ボタンの断面図である。
【図３】押ボタンを内方から見た図である。
【図４】ロック筒の断面図である。
【図５】ロック筒の正面図である。
【図６】案内筒の断面図である。
【図７】案内筒の正面図である。
【符号の説明】
１  時計ケ−スの胴
２  孔
３  案内筒
３ａ  筒部
３ｂ  案内孔
３ｃ  六角形頭部
３ｄ  テ−パ入口
４  押ボタン
４ａ  頭部
４ｂ  円筒状溝
４ｃ  環状表示溝
４ｄ  スイッチ操作突起
５  雄ネジ
６  溝
７  環状溝
８  ロック筒
８ａ  ノッチ
９  雌ネジ
１０  スプリング
１１  環状溝
１２  スナップリング
１３  Ｏリング
Ｓ  ストロ−ク
【図１】
0003621457.tif 000002
【図２】
0003621457.tif 000003
【図３】
0003621457.tif 000004
【図４】
0003621457.tif 000005
【図５】
0003621457.tif 000006
【図６】
0003621457.tif 000007
【図７】
0003621457.tif 000008